(57)【要約】      （修正有）【解決手段】棒状放水から噴霧放水までの間で放水パターンを連続的に変換可能の可変放水ノズル４と、泡放射ノズル３とを並設し、その両者を切り替え手段１０により切り替え可能となっている。【効果】可変放水ノズルを調節することにより棒状放水から噴霧放水に至る間の放水パターンを選択することができると共に、切り替え手段で切り替えることにより泡放射ノズルから泡放水を行うこともできるものであり、火災現場において状況に応じて自由に放水パターンを変更することができる。【選択図】図１
2005137742.tif 000002
【特許請求の範囲】
【請求項１】
棒状放水から噴霧放水までの間で放水パターンを連続的に変換可能の可変放水ノズル（４）と、泡放射ノズル（３）とを並設し、その両者を切り替え手段（１０）により切り替え可能としたことを特徴とする、消火用放水ノズル
【発明の詳細な説明】
【技術分野】
【０００１】
本発明は消火用放水ノズルに関するものであって、特に火災現場において、その火災の状況に応じて放水パターンを切り替えて放水することのできる、消火用放水ノズルに関するものである。
【背景技術】
【０００２】
一般に火災現場における消火活動は、火に対して放水することによる水消火が主に利用されるが、火災現場の状況や鎮火の過程によってその放水のパターンを変えることが必要とされている。
【０００３】
放水のパターンは基本的に、棒状放水、噴霧放水、泡放水の三種に分けられる。棒状放水は大量の水を棒状に放出するものであり、燃え盛る炎に対して遠くから大量の水を放射して消火するのに適しているが、その反面大量の水を放射するため、水損が大きいと言う欠点を有している。
【０００４】
これに対し噴霧放水は、少量の水を霧状にして放射するものであり、消火活動の終期に火勢が弱まった段階において、霧で輻射熱を遮断しながら消防士が火源に近付くことができ、広範囲に拡がった霧で火源を覆って冷却消火するのに適している。
【０００５】
また泡放水は、主として油火災に対して使用される放水パターンであって、水に薬剤を混入して発泡させてその泡を放出し、油火災の火源を泡で覆うことにより窒息消火するのに適している。
【０００６】
これらの放水パターンは、火災の状況や鎮火の程度の応じて適当に使い分けられる。すなわち一般火災においては、激しく燃え盛る建物に対しては遠くから大規模な棒状放水で消火するが、火勢がそれほど大きくない状態では、消防士が建物内に進入して火源に対して適切な放水パターンで放水し、消火するのである。
【０００７】
このような場合には、建物に進入した消防士がその場の判断で放水パターンを決定し、その場で放水パターンを切り替えて放水することが必要であり、複数の放水パターンに切り替え可能の放水ノズルが求められている。
【０００８】
このような複数の放水パターンに対応できる放水ノズルとしては、例えば特開２００１−２７６６６９号公報に示されたものが知られている。このものは棒状放水と噴霧放水とを切り替えて放射するものである。また特開２０００−１４０１４４号公報にも放水パターンを棒状放水と泡放水とに切り替え可能のものが示されている。
【０００９】
しかしながらこれらのものは、二種類の放水パターンには対応できるものの、前述の三種類の放水パターン全てに対応できるものではなく、火災現場における消火活動に制約があった。
【特許文献１】特開２００１−２７６６６９号公報
【特許文献２】特開２０００−１４０１４４号公報
【発明の開示】
【発明が解決しようとする課題】
【００１０】
本発明はかかる事情に鑑みなされたものであって、棒状放水、噴霧放水及び泡放水の三種の放水パターンの全てのパターンでの放水が可能であって、火災現場における状況に応じて任意のパターンで放水することのできる消火用放水ノズルを提供することを目的とするものである。
【課題を解決するための手段】
【００１１】
而して本発明は、棒状放水から噴霧放水までの間で放水パターンを連続的に変換可能の可変放水ノズルと、泡放射ノズルとを並設し、その両者を切り替え手段により切り替え可能としたことを特徴とするものである。
【発明の効果】
【００１２】
本発明によれば、可変放水ノズルを調節することにより棒状放水から噴霧放水に至る間の放水パターンを選択することができると共に、切り替え手段で切り替えることにより泡放射ノズルから泡放水を行うこともできるものであり、火災現場において状況に応じて自由に放水パターンを変更することができる。
【発明を実施するための最良の形態】
【００１３】
以下本発明の実施の形態を図面に従って説明する。図面は本発明の消火用放水ノズル１を示すものであって、２はハンドルであり、当該ハンドル２の先端には泡放射ノズル３と、可変放水ノズル４とが並設されており、またハンドル２の後下部にはホースの接続部５が設けられている。
【００１４】
ハンドル２内には、前記接続部５から筒先部６に至る通水路７が形成されており、該通水路７の途中には開閉弁８が形成され、ハンドル２に設けられた引き金９を操作することにより開閉弁８を開閉するようになっている。
【００１５】
またハンドル２の先端には切り替え手段としての切り替え弁１０が設けられ、当該切り替え弁１０に前記泡放射ノズル３及び可変放水ノズル４が接続されている。切り替え弁１０には弁体１１が回動自在に設けられており、当該弁体１１を切り替えレバー１２で回動させることにより、前記通水路７を泡放射ノズル３及び可変放水ノズル４のいずれかに、選択的に接続するようになっている。
【００１６】
泡放射ノズル３は、通水路７に切り替え弁１０を介して接続される通水路１３の先端に、放水口１４を有する筒先部材１５が設けられており、当該筒先部材１５の外側に発泡筒１６が嵌合され、その発泡筒１６における前記放水口１４に対応する位置には複数の吸気孔１７が穿設されている。
【００１７】
そして発泡剤を添加した水を筒先部材１５から放出することにより、吸気孔１７から空気を吸入すると共に、放出された水が発泡筒１６の内面に衝突して吸入された空気と混合されて発泡し、泡となって発泡筒１６の先端から放出される。
【００１８】
可変放水ノズル４は、通水路７に切り替え弁１０を介して接続される通水路１８の先端にノズル本体１９が取り付けられ、当該ノズル本体１９の先端には外面に螺旋状の凹凸条を形成した制御部材２０が突設され、当該制御部材２０の周囲には複数の水通路孔２１が形成されている。
【００１９】
また前記ノズル本体１９には制御筒２２が螺合され、当該制御筒２２の先端には放水口２３を有する筒先部材２４が取り付けられ、その筒先部材２４の内側には前記制御部材２０が遊嵌する空所２５が形成されている。
【００２０】
そしてノズル本体１９に対して前記制御筒２２を回転させることにより、当該制御筒２２はネジの作用でノズル本体１９に対して進退し、制御部材２０が空所２５内に進入離脱し、放水口２３からの放水のパターンを棒状放水から噴霧放水まで変化させることができるようになっている。
【００２１】
而して図１に示すように切り替えレバー１２を後方に回動させると、切り替え弁１０は通水路７を可変放水ノズル４の通水路１８に接続する。この状態で引き金９を引くと、開閉弁８が開き、接続部５に接続されたホース（図示せず）から送られた水は、通水路７を通り、切り替え弁１０を経て可変放水ノズル４の通水路１８を通り、可変放水ノズル４に流入する。
【００２２】
可変放水ノズル４においてノズル本体１９に流入した水は、水通路孔２１を通って制御筒２２内に流入する。ここにおいて図１及び図２（ａ）に示されるように制御筒２２がノズル本体１９に対して前進している状態では、制御部材２０は空所２５から離脱しており、制御筒２２内に流入した水は制御部材２０の影響を受けることなく、スムーズに放水口２３から真っ直ぐに放出され、棒状放水が得られる。
【００２３】
この状態から、制御筒２２をノズル本体１９に対して回転させることによりネジの作用で後退させると、図２（ｂ）に示されるように、制御部材２０が筒先部材２４の空所２５内に進入する。
【００２４】
従って制御筒２２内の水が空所２５内を通過するときには、制御部材２０により大きな抵抗を受けると共に、さらに制御部材２０の表面に刻設された螺旋状の凹凸条により回転力が付与される。そのため放水口２３から放出された水は霧状となって広範囲に飛散し、噴霧放水が得られるのである。
【００２５】
また図１に示す可変放水ノズル４によれば、制御部材２０の空所２５内への進入の程度により水が受ける抵抗や回転力の程度も変動するので、制御筒２２のノズル本体１９に対する進退の程度を調節することにより、放水口２３から放出される水の飛散の範囲や到達距離を変化させることができ、棒状放水から広範囲の噴霧放水に至るまでの中間的な放水パターンをも任意に選択することができる。
【００２６】
次に、切り替えレバー１２を前方に回動させると、弁体１１が回動して切り替え弁１０は通水路７と可変放水ノズル４の通水路１８との接続を遮断すると共に、通水路７を泡放射ノズル３の通水路１３に接続する。
【００２７】
この状態で適宜の手段により水に発泡薬剤を添加し、引き金９を引いて開閉弁８を開くと、発泡薬剤を含んだ水は通水路７から切り替え弁１０を経て通水路１３に流入し、筒先部材１５の放水口１４から発泡筒１６内に放出される。
【００２８】
また発泡薬剤を含んだ水が放水口１４から発泡筒１６内に放出されることにより、吸気孔１７から空気が吸入され、放出された水と空気とが発泡筒１６内において混合され、発泡薬剤の作用で泡を生じ、その泡が発泡筒１６の先端から放出されて、泡放水が得られるのである。
【００２９】
従って本発明によれば、可変放水ノズル４における制御筒２２を回転させることにより、棒状放水から噴霧放水に至る放水パターンを選択することができ、また切り替えレバー１２で切り替え弁１０を切り替えて泡放水を選択することができるのであって、棒状放水、噴霧放水及び泡放水の三種の放水パターンを必要に応じて切り替えて、任意のパターンで放水することができる。
【図面の簡単な説明】
【００３０】
【図１】本発明の消火用放水ノズルの中央縦断面図
【図２】本発明における可変放水ノズルの中央縦断面図であって、（ａ）は棒状放水の状態を示し、（ｂ）は噴霧放水の状態を示す。
【図３】本発明の消火用放水ノズルの正面図
【図４】本発明の消火用放水ノズルの平面図
【図５】本発明の消火用放水ノズルの背面図
【図６】本発明の消火用放水ノズルの底面図
【図７】本発明の消火用放水ノズルの左側面図
【図８】本発明の消火用放水ノズルに右側面図
【符号の説明】
【００３１】
１  消火用放水ノズル
３  泡放射ノズル
４  可変放水ノズル
１０  切り替え弁
【図１】
2005137742.tif 000003
【図２】
2005137742.tif 000004
【図３】
2005137742.tif 000005
【図４】
2005137742.tif 000006
【図５】
2005137742.tif 000007
【図６】
2005137742.tif 000008
【図７】
2005137742.tif 000009
【図８】
2005137742.tif 000010